(57)【要約】  ここでは、ハンドル部（１１）およびシャフト部（１２）を備え、前記ハンドル部（１１）に接続された遠位端、および、前記ハンドル部（１１）から伝達された回転によってネジ部材を駆動するための先端部（１３）に接続された近位端を伴う、ネジ回しが提供される。当該ネジ回しの端部は、軸平面において実質的に丸い断面を有するとともに、径方向平面において、前記多角形の２つの対向する側面に対してそれぞれ直角に伸びる少なくとも第一対角線および第二対角線を伴った実質的に多角形の断面を有しており、前記第一の対角線は、前記第二の対角線よりも長い。前記ネジ回しに適用されるネジ部材も提供される。【選択図】  図１
2010521265.tif 000002
【特許請求の範囲】
【請求項１】
歯科インプラントに歯科構造物を締め付けるためのネジ回しであって、当該ネジ回しは、中心軸、ハンドル部（１１）およびシャフト部（１２）を備え、前記ハンドル部（１１）に接続された遠位端、および、前記ハンドル部（１１）から伝達された回転によってネジ部材を駆動するための先端部（１３）に接続された近位端を伴っており、前記先端部（１３）は、前記シャフト部（１２）に取り付けられた遠位端および近位端点（２９）を伴う湾曲した近位端を有しており、  
前記先端部は、軸平面において実質的に丸い断面を有するとともに、径方向平面において、実質的に多角形の断面を有しており、当該多角形は、２つの対向する側面に対してそれぞれ直角に伸びる少なくとも第一対角線および第二対角線を伴っており、前記第一の対角線は、前記第二の対角線よりも長く、軸平面における前記円形断面により、前記先端部の近位端から当該先端部の遠位端へと伸びる第一の湾曲部（２５）ならびに第二の湾曲部（２６）がそれぞれもたらされ、
前記第一の湾曲部（２５）は、当該第一の湾曲部（２５）の近位端点が、径方向平面において、前記湾曲近位端の前記遠位端点よりも前記中心軸から遠い距離に位置するよう、前記近位端点（２９）から一定の距離で終わること、
を特徴とするネジ回し。
【請求項２】
請求項１のネジ回しにおいて、前記第一および前記第二の対角線は、それぞれ、第一の最大対角線（２３）および第二の最大対角線（２４）であること、
を特徴とするネジ回し。
【請求項３】
請求項１又は請求項２のネジ回しにおいて、前記多角形は、八角形であること、
を特徴とするネジ回し。
【請求項４】
請求項１、請求項２又は請求項３のネジ回しにおいて、前記第一の対角線（２３）は、２つの対向する第二側面（２２）の中心に対して直角に伸び、第二の対角線（２４）は、２つの対向する第一側面（２１）に対して直角に伸びること、
を特徴とするネジ回し。
【請求項５】
請求項４のネジ回しにおいて、前記第二の側面（２２）は、少し突出していること、
を特徴とするネジ回し。
【請求項６】
請求項１のネジ回しにおいて、第一の湾曲部（２５）は、第一半径部（２７）を伴って設けられ、前記第二の湾曲部（２６）は、第二半径部（２８）を伴って設けられること、
を特徴とするネジ回し。
【請求項７】
請求項１又は請求項６のネジ回しにおいて、前記第一の対角線（２３）と前記第二の対角線（２４）間の関係は、１．１と１．４の間隔内で選択されること、
を特徴とするネジ回し。
【請求項８】
歯科インプラントに歯科構造物を締め付けるためのネジ部材であって、第一端にネジ部（３１）、および、第二端に、請求項１から請求項７のいずれのネジ回しの先端部を受け入れるための凹部（３３）を伴うネジ部材頭部（３２）を備え、
前記凹部は、径方向平面において実質的に多角形形状の断面を有するとともに、２つの対向する側面に対しそれぞれ直角に伸びる少なくとも第一および第二対角線（３８、３９）を伴い、前記第一の対角線（３８）は、前記第二の対角線より長く、前記第一の対角線（３８）と前記第二の対角線（３９）間の関係は、１．１から１．４の間隔内で選択されること、
を特徴とするネジ部材。
【請求項９】
請求項８のネジ部材において、前記ネジ部材頭部の上部外面は、段(phasing)（３４）を伴って設けられること、
を特徴とするネジ部材。
【発明の詳細な説明】
【技術分野】
【０００１】
本発明は、一般的なネジ回しの分野に関する。より具体的には、本発明は、歯科上部構造物、および／又は、人工装具等の歯科構造物の非連続的(non-linear)なネジ穴においてネジ部材を締め付けるためのネジ回し、ハンドル、ネジ回しシャフト部、ならびに、ネジ回し端を備えるものに関する。また、本発明は、前記ネジ回しを用いて固定される場合に適用されるネジ部材に関するものである。
【背景技術】
【０００２】
歯科インプラントに対し、歯科上部構造物、および／又は、人工装具等の歯科構造物を適用する分野においては、作業スペースが限られており、ネジ部材等の作業片ならびに歯科構造物のネジ穴の寸法が小さいので、歯科インプラントにネジ部材を堅く締め付けることは、多くの場合、難しい作業である。
【０００３】
また、近年、本発明の発明者により、歯科構造物に非連続的なネジ穴を設けることが発明され、これにより、ネジ穴の開口が患者の内側、すなわち、開口外側から見えない側に位置するようになった。したがって、歯科構造物の外側にネジ穴を隠すための追加の処理を行う必要がないので、外観が改善された歯科構造物を製造することが可能である。
【０００４】
しかし、歯科構造物を適用することそれ自体が繊細な作業であるので、少なくとも上述の理由について、非連続のネジ穴は、歯科構造物の適用を決して簡易化するものではない。本発明の発明者は、非連続のネジ穴においてネジ部材を締め付けるために適したネジ回しを既に発明している。かかるネジ回しは、スウェーデン特許出願番号０６０１７５４−５に開示されている。
【０００５】
スウェーデン特許出願番号０６０１７５４−５は、ハンドル部ならびに可撓性および／又は折曲可能なシャフト部を備えるネジ回しであって、前記ハンドル部に接続された遠位端および前記ハンドル部から伝達された回転によりネジ部材を駆動するための先端部に接続された近位端を有するものを開示している。しかし、シャフトは折り曲げ可能であるため、非連続のネジ穴においてネジ部と協働するよう先端部を操作することは少し困難である。
【０００６】
米国特許５、９４７、７３３は、ある平面においてその一部が八角形の断面を有するが、ネジ部材を締め付ける際、ネジ回しを回転させる場合にネジ回しの頭部分の滑りを防止する点についてこの八角形の断面が最適化されていない、ネジ回しを開示している。したがって、米国特許５、９４７、７３３に基づくネジ回しは、ネジ部材締め付ける際にトルクが加えられると、ネジ部材への取り付け時に滑ってしまうので、素材を傷つけてしまう。また、ネジ回しの外面形状は、ネジ回しの傾斜中、それらの間の限定された接触領域のみでネジ部材と協働するのみであるから、ネジ回しとネジ部材との間の接触領域は、最適化されない。さらに、米国特許５、９４７、７３３に基づくネジ回しの頭部は、ネジ回し頭部の正方形側とネジ部材の底部間の傾斜中の接触のため、回転中に上下移動し、それが患者に大きな不快感を与えてしまう。
【０００７】
このことから、改良されたネジ回し、特に、歯科構造物等の非連続ネジ穴の底部に位置するネジ部材と協働させるための、前記ネジ回しの先端部の操作についての剛性を高めることを可能にする、ネジ回しは有益である。
【先行技術文献】
【特許文献】
【０００８】
【特許文献１】スウェーデン特許番号０６１７５４−５
【特許文献２】米国特許番号５、９４７、７３３
【発明の開示】
【０００９】
このように、本発明は、先端部が、軸平面において実質的に丸い断面を有するとともに、径方向平面において、前記多角形の２つの対向する側面に対してそれぞれ直角に伸びる少なくとも第一対角線および第二対角線を伴った実質的に多角形の断面を有しており、前記第一の対角線は、前記第二の対角線よりも長いことを特徴とするネジ回し、ならびに、径方向平面において実質的に隅のある断面を有し、ネジ回しの先端部を受け入れるための受け入れるための凹部を特徴とするネジ部材を提供することにより、上記の１以上の技術的欠陥および欠点を、単独で、あるいは、いずれの組み合わせにより、和らげ、軽減又は除去するとともに、少なくとも上述の問題を解決しようとしている。本発明のさらなる実施形態は、従属請求項から明らかである。
【図面の簡単な説明】
【００１０】
本発明により可能となる、これらおよび他の側面、特徴、ならびに効果は、添付図面を参照することにより述べられる本発明の実施形態の説明から明らかであり、それによって明確にされる。
【図１】図１は、本発明の一実施形態に基づくネジ回しの側面図である。
【図２】図２ａおよび図２ｂは、本発明の一実施形態に基づくネジ回しの先端部の径方向平面における端面図である。図２ｃおよび図２ｄは、本発明の一実施形態に基づくネジ回しの軸平面における端面図である。
【図３】図３ａは、本発明の一実施形態に基づくネジ回しの軸断面である。図３ｂは、本発明の一実施形態に基づくネジ部材の径方向平面における端面図である。
【図４】図４ａから図４ｃは、本発明に基づくネジ回しとネジ部材間の協働についての径方向平面における一実施形態を示す図である。
【実施形態の詳細な説明】
【００１１】
以下の説明は、ネジ回しに適用可能な本発明の一実施形態、具体的には、歯科上部構造物および人工装具等の歯科構造物の非連続的なネジ穴の底部においてネジ部材を締め付けるネジ回し、に焦点を合わせている。しかし、本発明は、この目的に限定されず、例えば、建設業において非連続的なネジ穴で小さいネジ部材を締め付ける場合を含む、ネジ部材を締め付ける他の多くの分野に適用可能であることが理解される。
図１に基づく本発明の一実施形態においては、ハンドル部１１、シャフト部１２、ならびに、先端部１３を有するネジ回しが提供される。前記先端部１３は、実質的に円形の軸方向断面、および、実質的に隅のある形状(cornered shape)の径方向断面を有して設けられ、少なくとも前記側面の２つは、前記径方向平面において長さが異なる。
【００１２】
本発明の実情に照らすと、文言“径方向平面”は、ネジ回しおよびネジ部材の軸平面に直角な平面を定義するため用いられる。
【００１３】
図２ａおよび図２ｂにおいては、図１に基づくネジ回しの先端部の径方向平面の端面図が示されている。図２ｂにおける開示は、図２aに示されたネジ回しの中心軸の周りを４５度回転させたもの、および、その逆の状態を示している。この先端部は、４つの大きい第一側面２１および４つの小さい第二側面２２を有し、ともに実質的な正方形を提供する。径方向平面における先端部の形状を説明する他の方法は、さらに４つの側面を形成するような、段状の隅部(square shape with phased corners))を有する正方形である。したがって、ネジ回しの先端部の径方向平面における端面が八角形となるように、八角形が得られる。
【００１４】
第一側面２１および第二側面２２の長さの関係が重要である。径方向平面における断面が、ほぼ球形と認識される場合、すなわち、８つの側面が同じ長さを有する場合、前記ネジ回しの受容可能な凹部は、回転中に損傷する。このことは、ねじ回しを滑らせると、ねじ回しの隅部ならびにねじ部材を損傷するが、このために加えられる力の限界は、最も大きい側面の長さによって決定されるという事実が原因で起こる。前記側面の長さが同じであるとしたら、寸法的な理由により最も大きな側面の長さが最小化される。歯科インプラントに歯科構造物を締め付けるためのネジ回しおよびネジ部材のサイズは、非常に微細でなければならないので、かなり制限されている。
【００１５】
その結果、製造上の理由から、これらの部品は、非常に微少である必要があるため、かかるネジ回しおよびネジ部材の径方向平面における断面は、実質的に円形でないことが理想である、なぜなら、このことは、ツールの小型化の観点から欠点となりうるからである。
【００１６】
また、ツールが小型であるため、歯科インプラントに歯科構造物を締め付ける際、ネジ部材を締めるためネジ回しに加わる力は非常に大きくなる。このことは、径方向平面における断面の理想的な形状が実質的に円形、すなわち、第一および第二側面２１、２２の長さが同じであってはならないことをさらに意味する。前記第一および第二側面２１、２２の長さが同じであることは、ネジ回しを滑らせるために必要な最小量の力を最小化する。さらに、歯科インプラントに歯科構造物を締め付けるネジ回しの素材は、通常、チタニウム、酸化チタニウム（titanium, and oxides thereof）等の生体適合性材料であって、応力、疲労等に対して特別な耐久性を示す材料から選択される。
【００１７】
軸平面において円形であることから、前記第一および第二側面２１、２２は、湾曲している。したがって、前記第一および第二側面２１、２２からネジ回しの中心軸へのネジ回しの中心軸への、ネジ回しの中心軸への直角距離は、前記第一および第二側面２１、２２とともに変化し、これにより、２つの対向する側面間の中心軸に直角な対角線は、前記第一および第二側面２１、２２とともに変化する。ネジ回しの中心軸に対する直角距離が最大になる前記第一および第二側面２１、２２上の位置において、２つの対向する第二側面２２に直角に伸びる第一の最大対角線２３、ならびに、２つの対向する第一側面２１に直角に伸びる第二の最大対角線２４が定義される。ネジ回しの先端部について、本願発明者は、第一の最大対角線２３と第二の最大対角線２４間の関係が、１．１と１．４の間隔(interval)であるべきことが好ましく、より具体的には、１．２１、１．２２、１．２３、１．２４、１．２５、１．２６、１．２７、１．２８および１．２９等の１．２と１．３の間隔であることがより好ましいことを見つけた。第一の最大対角線２３と第二の最大対角線２４間のこのような関係は、前記第一の最大対角線を前記第二の最大対角線で除することによって計算される。一例を挙げると、前記第一の最大対角線は、２．０１±０．０２ｍｍであり、前記第二の最大対角線は、１．６３±０．０２ｍｍである。これらの間隔において、本ネジ回しは、ネジ部材と適合する際にそれが滑ることにより素材を痛めることがないよう、満足なトルクを提供するとともに、歯科インプラントに非連続的なネジ穴を有する歯科構造物を締め付ける際に微細なネジ部材の境界内に適合させるため、先端部の径方向平面において満足な断面積を提供する能力を示す。
【００１８】
図２ｃおよび図２ｄにおいては、図１に基づくネジ回しの先端部の軸平面図を示している。図２ｄにおける開示は、図２ｃに示されたネジ回しの中心軸の周りを４５度回転させたものおよびその逆の状態を示している。軸平面における先端部の形状は、実質的に円形である。径方向平面における先端部は、前記第一および第二の最大対角線２３、２４を伴って設けられているので、前記第一および第二側面２１、２２に沿って、前記第一の対角線および第二の対角線にそれぞれ対応する、第一および第二の湾曲部２５および２６を伴って軸平面における先端部を設けるようにしてもよい。前記第一湾曲部２５は、第一半径部２７を伴って設けてもよく、前記第二の湾曲部２６は、第二半径部２８を伴って設けてもよい。かかる半径部２７および２８は、ネジ部材の適合部(fitting portion)の内壁に追随し、ネジ部材に対して前記ネジ回しが傾き（tilting）および／又は角度が付いている（angling）間、本発明に基づくネジ回しを受け入れるよう構成されることを意図している。図２ｃおよび図２ｄは、ネジ回しの軸平面における円形断面が、第一の湾曲部２５および第二の湾曲部２６をそれぞれもたらすことを示している。前記第一の湾曲部２５および第二の湾曲部２６は、前記先端部の遠位端から当該先端部の近位端に向かって伸びる。図２ｃは、第一の湾曲部２５が、近位端点２９から一定の距離で終了してもよいことを示している。したがって、前記第一の湾曲部２５の近位端点は、径方向平面において、前記ネジ回しの先端部の湾曲した近位端の遠位端点よりも、中心軸からより遠い距離に位置してもよい。図２ｄは、前記第二の湾曲部２６が連続し、すなわち、ネジ回しの先端部の前記湾曲した近位端を超えてもよいことを示している。側面２２が、ネジ部材の凹部の底部と相互に作用する必要がないので、これにより、回転中にネジ回しのヘッドが上下することがなくなり、その結果、患者の不快さを予防することが可能となる。
【００１９】
それぞれが、２．０１±０．０２および１．６３±０．０２ｍｍの第一および第二の最大対角線２３、２４について、半径部２７、２８の半径は、それぞれ、０．７７ｍｍおよび０．８１ｍｍであってもよい。先端部の底部、すなわち、ネジ部材を取り付ける際に凹部の底と接触する部分は、球形等の実質的な球形であってもよい。
【００２０】
一例を挙げると、先端部のこの底部は、０．８８ｍｍの半径と１．２ｍｍの直径を有している。この例において、前記半径部の中心は、前記先端部の前記底部から０．８７ｍｍ、すなわち、半径０．８８ｍｍ、１．２ｍｍの直径を有する球形部の中心に位置してもよい。
【００２１】
したがって、ネジ回しのシャフト部の軸方向が、当該ネジ回しによって締められるネジ部材の軸方向と一致しないよう、ネジ回しを傾斜させ、および／又は、角度をつけてもよい。かかる傾斜は、本発明に基づくネジ回しおよびそれに適合する本発明に基づくネジ部材との間に満足なトルクを提供するとともに、例えば約２０度であってもよい。このことは、ネジ回しのシャフト部の軸方向が、歯科インプラントのネジ部の軸方向と一致しないことを意味しており、歯科インプラントには、ネジ部材、結果的に歯科構造物が固定されることになる。
【００２２】
先端部の底部、すなわち、ネジ部材のフィッテイングにおける凹部の底と接触する部分は、球形等の実質的な球形であってもよい。ある例において、先端部のこの底部は、０．８８ｍｍの半径と１．２ｍｍの直径を有する。軸平面における先端部の側面の丸い形状は、ネジ回しを傾斜させている間、ネジ部材のフィッテイングにおける凹部における側面に対して実質的に同じ接触面を提供し続けるとともに、前記傾斜を可能にする。したがって、ネジ部材を回転させて締め付ける全期間中、ネジ回しの先端部は、ネジ部材のフィッテイングの凹部における底部および側面と接触してもよい。このことは、ネジ部材の取り付け時にネジ回しがスリップするリスクを低下させるよう、締め付けプロセスに安定性を提供する。かかるスリップは、患者に大きな被害を与えることになるネジ部材の損傷を生じさせ、固定された歯科構造物を交換あるいは除去することを非常に困難にする。これにより、ネジ回しおよびネジ部材は、少なくとも３０から３５Ｎｃｍのトルク能力等の満足するトルク能力を与える方法により、ネジ回しが傾斜した位置においても協働することができる。
【００２３】
先端部の段状の隅部は、少し突出し、すなわち、半径を有して設けてもよい。前記段状隅部が突出している場合、ネジ回しは、円滑にネジ部材を回転させることができる。しかし、先端部の段状隅部が突出し、すなわち、半径を有して設けられている場合、ネジ回しおよびかかるネジ回しに適用されるネジ部材の製造プロセスは、より複雑である。
【００２４】
したがって、図１に示すように、ハンドル部１１およびシャフト部１２を備え,当該ハンドル部１１から伝達された回転によりネジ部材を回転させるため、前記ハンドル部１１に接続された遠位端および先端部１３に接続された近位端を有するネジ回しを提供してもよい。かかる先端部は、図２ｃおよび図２ｄにおいて示されているように、軸平面において実質的に丸い断面を有しており、図２aおよび図２ｂにおいて示されている八角形のように、径方向平面においては、側面２１および側面２２のような、前記多角形の２つの対向する側面に対してそれぞれ直角に伸びる少なくとも第一および第二の対角線を伴った実質的に多角形の断面を有しており、前記第一の対角線は、前記第二の対角線よりも長い。
【００２５】
本発明は、歯科構造物を歯科インプラントに締め付けるため、上述のネジ回しによって締めるため適合されるネジ部材にも関連する。軸平面におけるかかるネジ部材の断面が、図３aに示されている。本発明に基づくネジ部材の材料は、チタニウム、酸化チタニウム等の適切な生体適合性材料であって、歯科構造物を歯科インプラントに締め付けるための分野における当業者によく知られている材料から選択するようにしてもよい。
【００２６】
図３aは、歯科インプラントに固定されるネジ部３１およびネジ部材頭部３２を備えたネジ部材を示す。当該ネジ部材頭部３２は、上述のネジ回しの先端部を受け入れるための凹部３３を伴って設けられる。また、当該ネジ部材頭部３２の上部外面は、段(phasing)３４を伴って設けるようにしてもよい。
【００２７】
かかる段３４は、実質的に丸い形状あるいは径方向の段（radial phasing）であってもよい。この段３４は、ネジ部材が、歯科構造物の壁に食い込むことを防止する。このことは、傾斜したネジ回しの位置が、ネジ部材の接触面から歯科構造物の側壁内側への力の成分を生じさせるので、問題となるかもしれない。
【００２８】
凹部３３は、底部３５ならびに第一および第二側壁３６、３７を有する。２つの対向する第二側壁３７に直角に伸びる第一対角線３８および２つの対向する第一側壁３６に直角に伸びる第二対角線３９も示されている。図３に基づくネジ部材は、その上に上述のネジ回しの先端部の底を置くことができる、平らな底部３５を有している。これにより、前記先端部の底は、前記底部３５と接触し、ネジ部材が完全なソケットを定義しない場合であっても、ネジ回しが傾斜している間、実質的に玉継ぎ手（ball and joint socket）として機能する。したがって、ネジ部材を回転させて締め付ける全期間中、ネジ回しの先端部の底部は、ネジ部材の底部３５と接触してもよい。
【００２９】
他の実施形態において、底部３５は突出している。この実施形態において、底部３５は、突出の度合い(convexity)が小さく、フィッティングの比率、すなわち、凹部３３が大きくなりすぎないよう、比例的に大きい半径を伴って設けてもよい。
【００３０】
ネジ部材について、本願発明者は、第一の対角線３８と第二の対角線３９間の関係が、１．１と１．４の間隔であるべきことが好ましく、１．２１、１．２２、１．２３、１．２４、１．２５、１．２６、１．２７、１．２８および１．２９等の１．２から１．３の間隔であることがより好ましいことを見つけた。一例を挙げると、前記第一の対角線３８は、２．０４±０．０２ｍｍであり、前記第二の対角線３９は、１．６５±０．０２ｍｍである。
【００３１】
図４aから図４ｃにおいては、ネジ回しとネジ部材との間の協働に関する実施形態が示されている。図４aおよび図４ｂは、ネジ回しおよびネジ部材の第一の対角線２３、３８を介した軸平面における協働をそれぞれ示している。図４ｃは、ネジ回しおよびネジ部材の第二の対角線２４、３９を介した軸平面における協働をそれぞれ示している。図４ｂおよび図４ｃは、ネジ部材に対する傾斜位置におけるネジ回しの協働を示している。
【００３２】
本発明に基づく上述の適用ならびに使用には様々なものがあり、他のインプラント構造物を動物の体内に締め付ける等の例示的な分野であって、具体的には、作業スペースが限定されているので、その結果、ネジ回しを傾斜して微細サイズのチタニウムのネジ部材を締め付ける場合を含んでいる。
【００３３】
本発明の実施形態の部品ならびに構成要素は、いずれかの適切な方法において物理的、機能的かつ論理的に実施される。実際に、機能性は、単一のユニット、複数のユニットあるいは他の機能ユニットの一部によって実施される。このように、本発明は、単一のユニットによって実施しても、あるいは、異なるユニットおよびプロセッサ間において物理的かつ機能的に分担するようにしてもよい。
【００３４】
本発明は、特定の実例に関する実施形態に基づいて上記のように説明されているが、ここで述べられている特定の形式に限定する意図ではない。本発明は、むしろ、添付の特許請求の範囲ならびにのみによって限定され、上記以外の実施形態も、添付されたこれらの特許請求の範囲内で同様に可能である。
【００３５】
特許請求の範囲における、“備え／備える”という文言は、他のエレメントあるいはステップの存在を排除するものではない。また、独立して示してはいるが、複数の手段、エレメント、あるいは、方法のステップを実行するようにしてもよい。さらに、それぞれの特徴を、異なる特許請求の範囲に含めるようにしても、これらを有利になるよう組み合わせるようにしてもよく、異なる特許請求の範囲に含めることは、特徴の組合せが実行可能ではなく、および／または、有利であることを意味するものではない。また、単数の記述は、複数の可能性を除外するものでない“a”、“an”“第一”、“第二”等の文言は、複数であることを除外する意図ではない。特許請求の範囲における参照符号は、例を明確化するためだけに与えられており、どのような形であれ、特許請求の範囲を限定するものと解釈するべきでない。
【図１】
2010521265.tif 000003
【図２ａ】
2010521265.tif 000004
【図２ｂ】
2010521265.tif 000005
【図２ｃ】
2010521265.tif 000006
【図２ｄ】
2010521265.tif 000007
【図３ａ】
2010521265.tif 000008
【図３ｂ】
2010521265.tif 000009
【図４ａ】
2010521265.tif 000010
【図４ｂ】
2010521265.tif 000011
【図４ｃ】
2010521265.tif 000012
【国際調査報告】
2010521265.tif 000013
2010521265.tif 000014
2010521265.tif 000015
2010521265.tif 000016